(57)【要約】      （修正有）【課題】トイレのみならずホテル内の案内や部屋内部の案内も多言語で操作案内できる多言語音声案内装置を提供する。【解決手段】複数言語を入力してなる多目的音声案内装置１は、入退出をチェックする近接センサー２ａ、２ｂと、音声メモリー３ａに目的別の他言語を入力する多言語入力スイッチ３と、操作案内を選択する選択スイッチ４と、非常通報スイッチ５と、スピーカー６ａを付設した音声コントローラー６と、全体の操作をコントロールするコントローラー７と表示部８とからなる。【選択図】図１
2018097829.tif 000002
【特許請求の範囲】
【請求項１】
複数言語を入力してなる多目的音声案内装置において、入退出をチェックする近接センサーと、音声メモリーに目的別の他言語を入力する多言語入力スイッチと、操作案内を選択する選択スイッチと、非常通報スイッチと、スピーカーを付設した音声コントローラーと、全体の操作をコントロールするコントローラーと、表示部とからなることを特徴とする多言語音声案内装置。
【請求項２】
外部からの入出をチェックする外部センサーと、無線により音声メモリーに音声データーを書き替える双方向無線部を設けてなることを特徴とする請求項１記載の多言語音声案内装置。
【発明の詳細な説明】
【技術分野】
【０００１】  本発明は、外国人における多言語に対応する多言語音声案内装置に関するものである。
【背景技術】
【０００２】  従来の技術としては、便房の出入口に配したドアと、前記便房の室外に配置されて前記ドアの開閉をスイッチ操作する外側操作部と、前記便房の室内に配置されて前記ドアの開閉をスイッチ操作する内側操作部と、内外操作部からの開信号及び閉信号に基づいて駆動用コントローラーを開始ドアを開閉させる駆動操作と、前記内外操作部のスイッチ操作を促す音声案内装置とを備え、該音声案内装置は、状況別の案内メッセージをそれぞれ複数国の言語で記憶させた多言語記憶部と、その記憶部内のメッセージを適時に宣する音声コントローラーと、選択された案内メッセージを発生するスピーカとを備えたことを特徴とするトイレ用自動ドアシステムがある。（特許文献１参照）
【先行技術文献】
【特許文献】
【０００３】
【特許文献１】特開２０１６−８４６１６号公報
【発明の概要】
【発明が解決しようとする課題】
【０００４】  上記各従来技術は、トイレ利用者に対する操作アシストを主眼においたものであり、使用を限定してなるものである。【０００５】  本発明は、このような従来の構成が有していた問題点を解決しようとするもので、トイレのみならずホテル内の案内や部屋内部の案内も多言語で操作案内できる多言語音声案内装置を提供することを目的とする。
【課題を解決するための手段】
【０００６】  本発明は、上記目的を達成するために、複数言語を入力してなる多目的音声案内装置において、入退出をチェックする近接センサーと、音声メモリーに目的別の他言語を入力する多言語入力スイッチと、操作案内を選択する選択スイッチと、非常通報スイッチと、スピーカーを付設した音声コントローラーと、全体の操作をコントロールするコントローラーと、表示部とからなること。また、外部からの入出をチェックする外部センサーと、無線により音声メモリーに音声データーを書き替える双方向無線部を設けてなることをを特徴とする。
【発明の効果】
【０００７】１．近接センサーにより、ホテル等の入室か出室かの判別を行い、音声案内メッセージの    内容を自動的に選別できる・。
２．音声メモリーに目的別の他言語を入力する多言語入力スイッチにより、必要な案内メ    ッセージ（操作メッセージ）を入力することができる。
３．操作案内や希望する言語を選択できる選択スイッチにより、目的別、言語別の案内が    できる。
４．非常通報スイッチにより、火災や各種トラブルに話をしなくても対応できる。
５．トイレに使用したときは、ドアを開けた時から利用可能となり、自動的に音声案内を    開始する。
なお、入室後操作スイッチによりトイレの使用方法等を音声案内するものである。
６．ホテルの入口や観光地等の建物の入口等に設けることにより、多言語にて案内できる    ものである。
７．外部センサーにより色々なスチエーションで、案内を開始することも、入退出者の集    計等を行うこともできる。
８．双方向無線により、遠隔操作にて多言語の入力（書き替え等）等を行うことができる    。
９．多言語音声案内装置は、必要箇所に個々に取り付けるもので、相方向で送受信でき、    目の不自由な方も使用できる。
【図面の簡単な説明】
【０００８】
【図１】  本発明の多言語音声案内装置の構成図。
【図２】  本発明の多言語音声案内装置の使用状態図。
【発明を実施するための形態】
【０００９】  多言語音声案内装置１は、装置本体２内に入退出をチェックする２つの近接センサー２ａ・２ｂと、音声メモリー３ａに目的別の他言語を入力する多言語入力スイッチ３と、操作案内を選択する選択スイッチ４と、非常通報スイッチ５と、スピーカー６ａを付設した必要なメッセージを流す音声コントローラー６と、全体の操作をコントロールするコントローラー７と、必要な情報を表示する表示部８と、外部に設け、本体２内のシステムと連動する外部センサー９、複数の多言語音声案内装置１と送受信すると共に、外部よりデータを書き替えることのできる双方向無線部１０とからなることを特徴とするものである。（図１）
【００１０】  次に、使用例について説明する。
例えば、ホテルのトイレＴの案内として使用する場合、男性用トイレＴ１を使用すべく、中国人の男性の方が、向かって左側より廊下Ｒを歩いてきたとして、男性用トイレＴ１の数ｍ（例えば５ｍ位）前の天井あるいは壁Ｋに設置した多言語音声案内装置２１の外部センサー９に感知し、男性用トイレＴ１の位置案内を多言語（例えば、中国語・英語・タイ語等）で行う。これは、予めその階に宿している外国人の方用に設定しているのが望ましい。
よって、この案内メッセージ（スピーカー６ａより流れる）により男性用トイレＴ１を確認し、中に入る。
この時、設置された多言語音声案内装置３１の選択スイッチ４を押して、中国語を選択すれば、自動的に中国語でトイレ内の案内を行う。
この時、近接スイッチ２ａより感知した後、近接スイッチ２ｂにて感知するこれは入室したことを示し、一定時間（例えば、２０分以上）が過ぎれば、音声コントローラー６にて状態を確認（ホテルのフロントに設けた多言語音声案内装置）し、連絡するが、応答がない場合は駆けつける。
また、気分が悪くなった時等やトラブルが発生した時は、非常通報スイッチを押す。
通常にて、用をたして出る時は、近接スイッチ２ｂの次に近接スイッチ４２ｂで感知し、退出を意味し、トイレのドアＤを開ける前に、来た方向をメッセージし、迷わないようにする。（予め多言語音声案内装置２１の双方向無線１０により多言語音声案内装置３１にデーター（信号）を送っている）（図２）
【００１１】  このように、女性用トイレＴ２でも同様な案内ができるものである。
また、ホテルの部屋に設置した場合によっても部屋で使用する備品等についての案内が多言語で可能であり、人の出入や集計等もできるものである。
【００１２】  上記多言語音声案内装置の実施例において、同様な機能を有するものであれば、特に部材や回路等を限定するものではない。
また、使用場所も必要に応じて決めればよく、目の不自由な方も使用できる。
【産業上の利用の可能性】
【００１３】  外国人の方がホテル内の設備を、自国の言語で案内することができるため、ストレスを感じることなく、利用できる。
また、ホテルに限定することなく、外国の方が利用する施設に対して使用できるため、各産業への利用が可能である。
【符号の説明】
【００１４】  １―――多言語音声案内装置
２―――装置本体
３―――多言語入力スイッチ
４―――選択スイッチ
５―――非常通報スイッチ
６―――音声コントローラー
７―――コントローラー
８―――表示部
９―――外部センサー
１０―――双方向無線
Ｔ―――トイレ
【図１】
2018097829.tif 000003
【図２】
2018097829.tif 000004